(57)【要約】【課題】選局動作を短い時間で完了させることができる放送受信装置を提供する。【解決手段】マイコン８は、選局チャンネルのセンター周波数が指定された選局データと、センター周波数に所定の周波数変動分を加算した周波数が指定された選局データと、センター周波数から所定の周波数変動分を減算した周波数が指定された選局データと、をチューナ２に送信し、各選局データ送信後に中間周波数ずれ測定部７が測定した中間周波数ずれの各測定結果、センター周波数、センター周波数に所定の周波数変動分を加算した周波数およびセンター周波数から所定の周波数変動分を減算した周波数に基づき中間周波数ずれと周波数との関係を示す直線近似式を算出し、算出された直線近似式に基づき中間周波数ずれが０となるような周波数を算出し、算出された周波数が指定された選局データをチューナ２に送信する。【選択図】図１
2008199237.tif 000002
【特許請求の範囲】
【請求項１】
制御部と、前記制御部から受信する選局データに基づき放送信号から目的チャンネルの高周波信号を抽出し抽出された高周波信号を中間周波信号に変換して出力するチューナと、前記チューナが出力する中間周波信号の周波数の規定中間周波数からのずれである中間周波数ずれを測定する中間周波数ずれ測定部と、を備え、
前記制御部は、選局チャンネルのセンター周波数が指定された選局データと、前記センター周波数に所定の周波数変動分を加算した周波数が指定された選局データと、前記センター周波数から所定の周波数変動分を減算した周波数が指定された選局データと、を前記チューナに送信し、各選局データ送信後に前記中間周波数ずれ測定部が測定した中間周波数ずれの各測定結果、前記センター周波数、前記センター周波数に所定の周波数変動分を加算した周波数および前記センター周波数から所定の周波数変動分を減算した周波数に基づき中間周波数ずれと周波数との関係を示す直線近似式を算出し、算出された直線近似式に基づき中間周波数ずれが０となるような周波数を算出し、算出された周波数が指定された選局データを前記チューナに送信する、ことを特徴とする放送受信装置。
【請求項２】
制御部と、前記制御部から受信する選局データに基づき放送信号から目的チャンネルの高周波信号を抽出し抽出された高周波信号を中間周波信号に変換して出力するチューナと、前記チューナが出力する中間周波信号の周波数の規定中間周波数からのずれである中間周波数ずれを測定する中間周波数ずれ測定部と、を備え、
前記制御部は、選局チャンネルのセンター周波数を中間周波数ずれ測定用周波数として該中間周波数ずれ測定用周波数が指定された選局データと、所定の初期値を周波数変動分として前記中間周波数ずれ測定用周波数に前記周波数変動分を加算した周波数が指定された選局データと、前記中間周波数ずれ測定用周波数から前記周波数変動分を減算した周波数が指定された選局データと、をそれぞれ前記チューナに送信し、各選局データ送信後に前記中間周波数ずれ測定部が測定した中間周波数ずれの各測定結果のうちずれが最小である測定結果に対応する周波数を新たな中間周波数ずれ測定用周波数とし、
以降、前記制御部は、現在の中間周波数ずれ測定用周波数が指定された選局データと、現在の中間周波数ずれ測定用周波数に前回の周波数変動分よりも小さい周波数変動分を加算した周波数が指定された選局データと、現在の中間周波数ずれ測定用周波数から前回の周波数変動分よりも小さい周波数変動分を減算した周波数が指定された選局データと、をそれぞれ前記チューナに送信し、各選局データ送信後に前記中間周波数ずれ測定部が測定した中間周波数ずれの各測定結果のうちずれが最小である測定結果に対応する周波数を新たな中間周波数ずれ測定用周波数とすることを所定回数繰り返し、
その後、前記制御部は、現在の中間周波数ずれ測定用周波数が指定された選局データを前記チューナに送信する、ことを特徴とする放送受信装置。
【請求項３】
制御部と、前記制御部から受信する選局データに基づき放送信号から目的チャンネルの高周波信号を抽出し抽出された高周波信号を中間周波信号に変換して出力するチューナと、前記チューナが出力する中間周波信号の周波数の規定中間周波数からのずれである中間周波数ずれを測定する中間周波数ずれ測定部と、を備え、
前記制御部は、選局チャンネルのセンター周波数を中間周波数ずれ測定用周波数として該中間周波数ずれ測定用周波数が指定された選局データと、所定の初期値を周波数変動分として前記中間周波数ずれ測定用周波数に前記周波数変動分を加算した周波数が指定された選局データと、前記中間周波数ずれ測定用周波数から前記周波数変動分を減算した周波数が指定された選局データと、をそれぞれ前記チューナに送信し、各選局データ送信後に前記中間周波数ずれ測定部が測定した中間周波数ずれの各測定結果のうちずれが最小である測定結果に対応する周波数を新たな中間周波数ずれ測定用周波数とし、
以降、前記制御部は、現在の中間周波数ずれ測定用周波数が指定された選局データと、現在の中間周波数ずれ測定用周波数に前回の周波数変動分よりも小さい周波数変動分を加算した周波数が指定された選局データと、現在の中間周波数ずれ測定用周波数から前回の周波数変動分よりも小さい周波数変動分を減算した周波数が指定された選局データと、をそれぞれ前記チューナに送信し、各選局データ送信後に前記中間周波数ずれ測定部が測定した中間周波数ずれの各測定結果のうちずれが最小である測定結果に対応する周波数を新たな中間周波数ずれ測定用周波数とすることを繰り返し、
前記すれが最小である測定結果のずれが所定値より小さい場合に、前記制御部は、現在の中間周波数ずれ測定用周波数が指定された選局データを前記チューナに送信する、ことを特徴とする放送受信装置。
【請求項４】
制御部と、前記制御部から受信する選局データに基づき放送信号から目的チャンネルの高周波信号を抽出し抽出された高周波信号を中間周波信号に変換して出力するチューナと、前記チューナが出力する中間周波信号の周波数の規定中間周波数からのずれである中間周波数ずれを測定する中間周波数ずれ測定部と、を備え、
前記制御部は、指定された周波数の異なる複数の選局データを前記チューナに送信し、各選局データ送信後に前記中間周波数ずれ測定部が測定した中間周波数ずれの各測定結果および前記指定された周波数に基づき中間周波数ずれと周波数との関係を示す近似式を算出し、算出された近似式に基づき中間周波数ずれが０となるような周波数を算出し、算出された周波数が指定された選局データを前記チューナに送信する、ことを特徴とする放送受信装置。
【発明の詳細な説明】
【技術分野】
【０００１】
本発明は、ＡＦＴ（Ａｕｔｏ  Ｆｒｅｑｕｅｎｃｙ  Ｔｕｎｉｎｇ）動作を行う放送受信装置に関する。
【背景技術】
【０００２】
従来から、放送受信装置において選局動作時にＡＦＴ（Ａｕｔｏ  Ｆｒｅｑｕｅｎｃｙ  Ｔｕｎｉｎｇ）動作を行わせることが一般的に知られている（例えば、特許文献１参照）。このような従来の放送受信装置には、例えば、選局チャンネルの下限の周波数から周波数を序々に高くしながら選局データをチューナに送信し、チューナが出力する中間周波信号の周波数の規定中間周波数からのずれが小さくなるような周波数を探索するものがあった。
【特許文献１】登録実用新案第３０９０３１５号公報
【発明の開示】
【発明が解決しようとする課題】
【０００３】
しかし、上記従来の放送受信装置では、周波数の探索に要するステップ数が多く、選局動作に時間がかかってしまうという問題があった。
【０００４】
上記問題点を鑑み、本発明は、選局動作を短い時間で完了させることができる放送受信装置を提供することを目的とする。
【課題を解決するための手段】
【０００５】
上記目的を達成するために本発明の放送受信装置は、制御部と、前記制御部から受信する選局データに基づき放送信号から目的チャンネルの高周波信号を抽出し抽出された高周波信号を中間周波信号に変換して出力するチューナと、前記チューナが出力する中間周波信号の周波数の規定中間周波数からのずれである中間周波数ずれを測定する中間周波数ずれ測定部と、を備え、
前記制御部は、選局チャンネルのセンター周波数を中間周波数ずれ測定用周波数として該中間周波数ずれ測定用周波数が指定された選局データと、所定の初期値を周波数変動分として前記中間周波数ずれ測定用周波数に前記周波数変動分を加算した周波数が指定された選局データと、前記中間周波数ずれ測定用周波数から前記周波数変動分を減算した周波数が指定された選局データと、をそれぞれ前記チューナに送信し、各選局データ送信後に前記中間周波数ずれ測定部が測定した中間周波数ずれの各測定結果のうちずれが最小である測定結果に対応する周波数を新たな中間周波数ずれ測定用周波数とし、
以降、前記制御部は、現在の中間周波数ずれ測定用周波数が指定された選局データと、現在の中間周波数ずれ測定用周波数に前回の周波数変動分よりも小さい周波数変動分を加算した周波数が指定された選局データと、現在の中間周波数ずれ測定用周波数から前回の周波数変動分よりも小さい周波数変動分を減算した周波数が指定された選局データと、をそれぞれ前記チューナに送信し、各選局データ送信後に前記中間周波数ずれ測定部が測定した中間周波数ずれの各測定結果のうちずれが最小である測定結果に対応する周波数を新たな中間周波数ずれ測定用周波数とすることを所定回数繰り返し、
その後、前記制御部は、現在の中間周波数ずれ測定用周波数が指定された選局データを前記チューナに送信する、ことを特徴としている。
【０００６】
このような構成によれば、従来よりもＡＦＴ動作を効率よく実施でき、選局動作を短い時間で完了させることができる。
【０００７】
また、上記目的を達成するために本発明の放送受信装置は、制御部と、前記制御部から受信する選局データに基づき放送信号から目的チャンネルの高周波信号を抽出し抽出された高周波信号を中間周波信号に変換して出力するチューナと、前記チューナが出力する中間周波信号の周波数の規定中間周波数からのずれである中間周波数ずれを測定する中間周波数ずれ測定部と、を備え、
前記制御部は、選局チャンネルのセンター周波数を中間周波数ずれ測定用周波数として該中間周波数ずれ測定用周波数が指定された選局データと、所定の初期値を周波数変動分として前記中間周波数ずれ測定用周波数に前記周波数変動分を加算した周波数が指定された選局データと、前記中間周波数ずれ測定用周波数から前記周波数変動分を減算した周波数が指定された選局データと、をそれぞれ前記チューナに送信し、各選局データ送信後に前記中間周波数ずれ測定部が測定した中間周波数ずれの各測定結果のうちずれが最小である測定結果に対応する周波数を新たな中間周波数ずれ測定用周波数とし、
以降、前記制御部は、現在の中間周波数ずれ測定用周波数が指定された選局データと、現在の中間周波数ずれ測定用周波数に前回の周波数変動分よりも小さい周波数変動分を加算した周波数が指定された選局データと、現在の中間周波数ずれ測定用周波数から前回の周波数変動分よりも小さい周波数変動分を減算した周波数が指定された選局データと、をそれぞれ前記チューナに送信し、各選局データ送信後に前記中間周波数ずれ測定部が測定した中間周波数ずれの各測定結果のうちずれが最小である測定結果に対応する周波数を新たな中間周波数ずれ測定用周波数とすることを繰り返し、
前記すれが最小である測定結果のずれが所定値より小さい場合に、前記制御部は、現在の中間周波数ずれ測定用周波数が指定された選局データを前記チューナに送信する、ことを特徴としている。
【０００８】
このような構成によれば、従来よりもＡＦＴ動作を効率よく実施でき、選局動作を短い時間で完了させることができる。また、上記ずれが所望のずれになった時点で選局動作が終了するので、無駄に繰り返し処理がされ選局動作が長くなることを防げる。
【０００９】
また、上記目的を達成するために本発明の放送受信装置は、制御部と、前記制御部から受信する選局データに基づき放送信号から目的チャンネルの高周波信号を抽出し抽出された高周波信号を中間周波信号に変換して出力するチューナと、前記チューナが出力する中間周波信号の周波数の規定中間周波数からのずれである中間周波数ずれを測定する中間周波数ずれ測定部と、を備え、
前記制御部は、指定された周波数の異なる複数の選局データを前記チューナに送信し、各選局データ送信後に前記中間周波数ずれ測定部が測定した中間周波数ずれの各測定結果および前記指定された周波数に基づき中間周波数ずれと周波数との関係を示す近似式を算出し、算出された近似式に基づき中間周波数ずれが０となるような周波数を算出し、算出された周波数が指定された選局データを前記チューナに送信する、ことを特徴としている。
【００１０】
このような構成によっても、従来よりもＡＦＴ動作を効率よく実施でき、選局動作を短い時間で完了させることができる。
【００１１】
また、本発明の放送受信装置は、制御部と、前記制御部から受信する選局データに基づき放送信号から目的チャンネルの高周波信号を抽出し抽出された高周波信号を中間周波信号に変換して出力するチューナと、前記チューナが出力する中間周波信号の周波数の規定中間周波数からのずれである中間周波数ずれを測定する中間周波数ずれ測定部と、を備え、
前記制御部は、選局チャンネルのセンター周波数が指定された選局データと、前記センター周波数に所定の周波数変動分を加算した周波数が指定された選局データと、前記センター周波数から所定の周波数変動分を減算した周波数が指定された選局データと、を前記チューナに送信し、各選局データ送信後に前記中間周波数ずれ測定部が測定した中間周波数ずれの各測定結果、前記センター周波数、前記センター周波数に所定の周波数変動分を加算した周波数および前記センター周波数から所定の周波数変動分を減算した周波数に基づき中間周波数ずれと周波数との関係を示す直線近似式を算出し、算出された直線近似式に基づき中間周波数ずれが０となるような周波数を算出し、算出された周波数が指定された選局データを前記チューナに送信するような構成であることがより望ましい。
【００１２】
このような構成によれば、中間周波数ずれの測定回数が少なくて済むので、選局動作時間の短さにおいて優れる。
【発明の効果】
【００１３】
本発明の放送受信装置によれば、選局動作を短い時間で完了させることができる。
【発明を実施するための最良の形態】
【００１４】
以下、本発明の実施形態についてテレビジョンを例として図面を参照して説明する。
【００１５】
図１に、本発明に係るテレビジョンの概略構成図を示す。本発明に係るテレビジョンは、チューナ２と、中間周波増幅部３と、映像検波部４と、映像増幅部５と、表示部６と、中間周波数ずれ測定部７と、マイコン８と、リモコン受信部９とを備える。また、マイコン８は記憶部１０を有している。
【００１６】
アンテナ１は、放送電波を高周波信号である放送信号に変換してチューナ２に出力する。チューナ２は、マイコン８から受信した選局データに基づき放送信号から目的チャンネルの高周波信号を抽出し抽出された高周波信号を中間周波信号に変換し、中間周波信号を中間周波増幅部３および中間周波数ずれ測定部７に出力する。中間周波増幅部３は、中間周波信号を増幅し増幅された中間周波信号を映像検波部４に出力する。映像検波部４は、中間周波信号から映像信号を検波し映像信号を映像増幅部５に出力する。映像増幅部５は、映像信号を増幅し増幅された映像信号を表示部６に出力する。表示部６は、映像信号に基づき映像を表示する。
【００１７】
また、中間周波数ずれ測定部７は、チューナ２が出力する中間周波信号の周波数の規定中間周波数（例えばアメリカであれば４５．７５ＭＨｚ）からのずれ（以下、中間周波数ずれという）を測定し、測定結果をマイコン８に送信する。
【００１８】
また、マイコン８は、内蔵される制御プログラムに従って後述する選局動作を行う。リモコン受信部９は、不図示のリモコンから無線信号を受信しリモコン操作に対応するコード信号をマイコン８に送信する。
【００１９】
次に、このような構成の本発明に係るテレビジョンにおける選局動作について説明する。
【００２０】
不図示のリモコンにおいて選局操作がされると、リモコン受信部９がリモコンから無線信号を受信し選局操作に対応するコード信号をマイコン８に送信し、図２のフローチャートが開始される。
【００２１】
まず、ステップＳ２０で、マイコン８は、選局チャンネルのセンター周波数をＦ（０）、周波数変動分の所定の初期値をΔＦとして記憶部１０に記憶させる。
【００２２】
次にステップＳ２１で、マイコン８は、Ｆ（０）の周波数が指定された選局データをチューナ２に送信する。そして、ステップＳ２２で、マイコン８は、中間周波数ずれ測定部７が測定した中間周波数ずれの測定結果を中間周波数ずれ測定部７から受信し、その測定結果をＤｉｆｆ（０）としてＦ（０）に対応させて記憶部１０に記憶させる。
【００２３】
次にステップＳ２３で、マイコン８は、Ｆ（０）とΔＦとを加算して結果をＦ（１）として記憶部１０に記憶させ、Ｆ（１）の周波数が指定された選局データをチューナ２に送信する。そして、ステップＳ２４で、マイコン８は、中間周波数ずれ測定部７が測定した中間周波数ずれの測定結果を中間周波数ずれ測定部７から受信し、その測定結果をＤｉｆｆ（１）としてＦ（１）に対応させて記憶部１０に記憶させる。
【００２４】
次にステップＳ２５で、マイコン８は、Ｆ（０）からΔＦを減算して結果をＦ（−１）として記憶部１０に記憶させ、Ｆ（−１）の周波数が指定された選局データをチューナ２に送信する。そして、ステップＳ２６で、マイコン８は、中間周波数ずれ測定部７が測定した中間周波数ずれの測定結果を中間周波数ずれ測定部７から受信し、その測定結果をＤｉｆｆ（−１）としてＦ（−１）に対応させて記憶部１０に記憶させる。
【００２５】
そして、ステップＳ２７で、マイコン８は、Ｄｉｆｆ（−１）、Ｄｉｆｆ（０）、Ｄｉｆｆ（１）の比較を実施し、ずれが最小のものに対応するＦ（−１）、Ｆ（０）、Ｆ（１）のいずれかの周波数を新たなＦ（０）として記憶部１０に記憶させる。
【００２６】
そして、ステップＳ２８で、マイコン８は、ΔＦが所定値よりも大きいか否かを判定し、もし大きい場合は（ステップＳ２８のＹ）、ステップＳ２９に進み、マイコン８は、現在のΔＦの１／２の値を新たなΔＦとして記憶部１０に記憶させる。そして、ステップＳ２１に戻り、以降新たなＦ（０）、ΔＦに基づき上記同様の処理がされ、Ｄｉｆｆ（−１）、Ｄｉｆｆ（０）、Ｄｉｆｆ（１）も更新される。
【００２７】
ステップＳ２８で、ΔＦが所定値以下であるとマイコン８が判定すると（ステップＳ２８のＮ）、ステップＳ３０に進み、マイコン８は、現在のＦ（０）の周波数が指定された選局データをチューナ２に送信する。これで選局動作は完了となる。
【００２８】
このような選局動作によれば、従来よりもＡＦＴ動作を効率よく実施でき、選局動作を短い時間で完了させることができる。
【００２９】
なお、本実施形態においては次のようにしてもよい。例えば、図２において、ステップＳ２８でマイコン８が、ずれが最小である中間周波数ずれ測定結果のずれが所定値より小さいか否か判定するようにし、所定値より小さい場合にステップＳ３０に進み、そうでない場合はステップＳ２９に進むようにしてもよい。これにより、ずれが所望のずれになった時点で選局動作が終了するので無駄に繰り返しの処理がされ選局動作時間が長くなることを防げる。
【００３０】
または、図２において、ステップＳ２７の後、マイコン８が、ずれが最小である中間周波数ずれ測定結果のずれが所定値より小さいか否か判定するようにし、所定値より小さい場合はステップＳ３０に進み、そうでない場合はステップＳ２８に進むようにし、ステップＳ２８でマイコン８がΔＦが所定値以下であると判定した場合、ステップＳ３０には進まず選局動作が終了するようにしてもよい。これにより、ずれが所望のずれになった時点で選局動作が終了するので無駄に繰り返しの処理がされ選局動作時間が長くなることを防げることに加え、ずれが所望のずれにならずに無限に繰り返し処理されることを防げる。
【００３１】
また、本発明に係るテレビジョンにおける選局動作の他の実施形態について以下説明する。
【００３２】
不図示のリモコンにおいて選局操作がされると、リモコン受信部９がリモコンから無線信号を受信し選局操作に対応するコード信号をマイコン８に送信し、図３のフローチャートが開始される。
【００３３】
まず、ステップＳ３１で、マイコン８は、選局チャンネルのセンター周波数をＦ（０）、周波数変動分の所定値をΔＦとして記憶部１０に記憶させる。
【００３４】
次にステップＳ３２で、マイコン８は、Ｆ（０）の周波数が指定された選局データをチューナ２に送信する。そして、ステップＳ３３で、マイコン８は、中間周波数ずれ測定部７が測定した中間周波数ずれの測定結果を中間周波数ずれ測定部７から受信し、その測定結果をＤｉｆｆ（０）としてＦ（０）に対応させて記憶部１０に記憶させる。
【００３５】
次にステップＳ３４で、マイコン８は、Ｆ（０）とΔＦとを加算して結果をＦ（１）として記憶部１０に記憶させ、Ｆ（１）の周波数が指定された選局データをチューナ２に送信する。そして、ステップＳ３５で、マイコン８は、中間周波数ずれ測定部７が測定した中間周波数ずれの測定結果を中間周波数ずれ測定部７から受信し、その測定結果をＤｉｆｆ（１）としてＦ（１）に対応させて記憶部１０に記憶させる。
【００３６】
次にステップＳ３６で、マイコン８は、Ｆ（０）からΔＦを減算して結果をＦ（−１）として記憶部１０に記憶させ、Ｆ（−１）の周波数が指定された選局データをチューナ２に送信する。そして、ステップＳ３７で、マイコン８は、中間周波数ずれ測定部７が測定した中間周波数ずれの測定結果を中間周波数ずれ測定部７から受信し、その測定結果をＤｉｆｆ（−１）としてＦ（−１）に対応させて記憶部１０に記憶させる。
【００３７】
そして、ステップＳ３８で、マイコン８は、Ｆ（−１）とＤｉｆｆ（−１）との組み合わせ、Ｆ（０）とＤｉｆｆ（０）との組み合わせ、Ｆ（１）とＤｉｆｆ（１）との組み合わせに基づき中間周波数ずれと周波数との関係を示す直線近似式を算出する。次にステップＳ３９で、マイコン８は、算出された直線近似式に基づき中間周波数ずれが０となる周波数を算出し、算出された周波数を新たなＦ（０）として記憶部１０に記憶させる。
【００３８】
そして、ステップＳ４０で、マイコン８は、現在のＦ（０）の周波数が指定された選局データをチューナ２に送信する。これで選局動作は完了となる。
【００３９】
このような選局動作によっても、従来よりもＡＦＴ動作を効率よく実施でき、選局動作を短い時間で完了させることができる。なお、本実施形態では、周波数と中間周波数ずれとの３種類の組み合わせから直線近似式を算出するようにしたが、さらに周波数と中間周波数との組み合わせを増やし、２次以上の近似式を算出するようにしてもよい。ただ、周波数と中間周波数ずれとの組み合わせが少なくて済む本実施形態は選局動作時間の短さにおいて優れる。
【図面の簡単な説明】
【００４０】
【図１】は、本発明に係るテレビジョンの概略構成図である。
【図２】は、本発明に係るテレビジョンにおける選局動作に関するフローチャートである。
【図３】は、本発明に係るテレビジョンにおける選局動作の他実施形態に関するフローチャートである。
【符号の説明】
【００４１】
１    アンテナ
２    チューナ
３    中間周波増幅部
４    映像検波部
５    映像増幅部
６    表示部
７    中間周波数ずれ測定部
８    マイコン
９    リモコン受信部
１０    記憶部
【図１】
2008199237.tif 000003
【図２】
2008199237.tif 000004
【図３】
2008199237.tif 000005